【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
電力を非接触によって伝送する第２のコイルを有する送電部と、
前記送電部から伝送された前記電力を受電する第１のコイルを有する受電部と、
前記受電部を有し、体内に埋め込まれて用いられる医療器具と、を備え、
前記医療器具は、
前記送電部の移動に伴って、前記送電部と前記受電部との相対的な位置関係が所定の状態に達した場合に、前記受電部で受電した電力を用いて光を発することにより該所定の状態になったことを報知する複数の発光部で構成される報知部と、
注射針が挿通される軟質部と、を有し、
前記複数の発光部は、前記軟質部の外縁に沿うように配置され、
前記報知部は、前記軟質部の内径より小さい第１の半径を有する円内において最も明るい場所における第１の光強度と、前記第１の半径より大きい第２の半径を有する円外において最も明るい場所における第２の光強度と、が異なるように構成されている医療装置。
【請求項２】
請求項１に記載の医療装置であって、
前記受電部は、複数個あり、
前記複数の発光部は、それぞれに接続された前記受電部で受電した電力を用いて光を発する医療装置。
【請求項３】
請求項１に記載の医療装置であって、
前記複数の発光部は、前記受電部を共用し、前記受電部で受電した電力を用いて光を発する医療装置。
【請求項４】
請求項１〜３のいずれか一つに記載の医療装置であって、
前記報知部は、第１の光強度よりも第２の光強度が高くなるように構成されている医療装置。
【請求項５】
請求項１〜４のいずれか一つに記載の医療装置であって、
前記送電部は、
板状をなすシート部を有し、
前記シート部は、前記電力を伝送するための第２のコイルが設けられており、前記第２のコイル内に、注射針を注入可能な孔を有し、
前記孔の直径Ｆは、
Ｆ＜（Ａ−２Ｄ）
により定義される大きさである医療装置。
Ａ：前記軟質部の直径
Ｄ：前記発光部が発光され得る前記軟質部の中心と前記第２のコイルの中心との距離
【請求項６】
体内に埋め込まれて用いられ、外部から非接触によって伝送された電力を受電する受電部と、注射針が挿通される軟質部と、を有する医療器具の所定箇所を検出する体外ユニットであって、
電力を非接触によって伝送する第２のコイルを有する送電部を備え、
前記医療器具は、前記送電部の移動に伴って、前記送電部と前記受電部との相対的な位置関係が所定の状態に達した場合に、前記受電部で受電した電力を用いて光を発することにより該所定の状態になったことを報知する複数の発光部で構成される報知部を有し、
前記複数の発光部は、前記軟質部の外縁に沿うように配置され、
前記報知部は、前記軟質部の内径より小さい第１の半径を有する円内において最も明るい場所における第１の光強度と、前記第１の半径より大きい第２の半径を有する円外において最も明るい場所における第２の光強度と、が異なるように構成されており、
前記送電部は、
板状をなすシート部を有し、
前記シート部は、前記電力を伝送するための第２のコイルが設けられており、前記第２のコイル内に、注射針を注入可能な孔を有し、
前記孔の直径Ｆは、
Ｆ＜（Ａ−２Ｄ）
により定義される大きさである体外ユニット。
Ａ：前記軟質部の直径
Ｄ：前記発光部が発光され得る前記軟質部の中心と前記第２のコイルの中心との距離
【請求項７】
体内に埋め込まれて用いられ、外部から非接触によって伝送された電力を受電する受電部と、注射針が挿通される軟質部と、を有する医療器具の所定箇所を検出する体外ユニットに対して着脱自在な送電シートであって、
前記医療器具は、前記送電部の移動に伴って、前記送電部と前記受電部との相対的な位置関係が所定の状態に達した場合に、前記受電部で受電した電力を用いて光を発することにより該所定の状態になったことを報知する複数の発光部で構成される報知部を有し、
前記複数の発光部は、前記軟質部の外縁に沿うように配置され、
前記報知部は、前記軟質部の内径より小さい第１の半径を有する円内において最も明るい場所における第１の光強度と、前記第１の半径より大きい第２の半径を有する円外において最も明るい場所における第２の光強度と、が異なるように構成されており、
前記送電シートは、
板状をなすシート部を有し、
前記シート部は、前記電力を伝送するための第２のコイルが設けられており、前記第２のコイル内に、注射針を注入可能な孔を有し、
前記孔の直径Ｆは、
Ｆ＜（Ａ−２Ｄ）
により定義される大きさである送電シート。
Ａ：前記軟質部の直径
Ｄ：前記発光部が発光され得る前記軟質部の中心と前記第２のコイルの中心との距離
【請求項８】
体内に埋め込まれて用いられる医療器具であって、
体外ユニットの送電部から非接触によって伝送された電力を受電する第１のコイルを有する受電部と、
前記送電部の移動に伴って、前記送電部と前記受電部との相対的な位置関係が所定の状態に達した場合に、前記受電部で受電した電力を用いて光を発することにより該所定の状態になったことを報知する複数の発光部で構成される報知部と、
注射針が挿通される軟質部と、を有し、
前記複数の発光部は、前記軟質部の外縁に沿うように配置され、
前記報知部は、前記軟質部の内径より小さい第１の半径を有する円内において最も明るい場所における第１の光強度と、前記第１の半径より大きい第２の半径を有する円外において最も明るい場所における第２の光強度と、が異なるように構成されている医療器具。
【手続補正２】
【補正対象書類名】明細書
【補正対象項目名】０００９
【補正方法】変更
【補正の内容】
【０００９】
上述した課題を解決し、目的を達成するために、本開示に係る医療装置は、電力を非接触によって伝送する第２のコイルを有する送電部と、前記送電部から伝送された前記電力を受電する第１のコイルを有する受電部と、前記受電部を有し、体内に埋め込まれて用いられる医療器具と、を備え、前記医療器具は、前記送電部の移動に伴って、前記送電部と前記受電部との相対的な位置関係が所定の状態に達した場合に、前記受電部で受電した電力を用いて光を発することにより該所定の状態になったことを報知する複数の発光部で構成される報知部と、注射針が挿通される軟質部と、を有し、前記複数の発光部は、前記軟質部の外縁に沿うように配置され、前記報知部は、前記軟質部の内径より小さい第１の半径を有する円内において最も明るい場所における第１の光強度と、前記第１の半径より大きい第２の半径を有する円外において最も明るい場所における第２の光強度と、が異なるように構成されている。
【手続補正３】
【補正対象書類名】明細書
【補正対象項目名】００１２
【補正方法】変更
【補正の内容】
【００１２】
また、本開示に係る医療装置は、上記開示において、前記報知部は、第１の光強度よりも第２の光強度が高くなるように構成されている。
【手続補正４】
【補正対象書類名】明細書
【補正対象項目名】００１４
【補正方法】変更
【補正の内容】
【００１４】
また、本開示に係る体外ユニットは、体内に埋め込まれて用いられ、外部から非接触によって伝送された電力を受電する受電部と、注射針が挿通される軟質部と、を有する医療器具の所定箇所を検出する体外ユニットであって、電力を非接触によって伝送する第２のコイルを有する送電部を備え、前記医療器具は、前記送電部の移動に伴って、前記送電部と前記受電部との相対的な位置関係が所定の状態に達した場合に、前記受電部で受電した電力を用いて光を発することにより該所定の状態になったことを報知する複数の発光部で構成される報知部を有し、前記複数の発光部は、前記軟質部の外縁に沿うように配置され、前記報知部は、前記軟質部の内径より小さい第１の半径を有する円内において最も明るい場所における第１の光強度と、前記第１の半径より大きい第２の半径を有する円外において最も明るい場所における第２の光強度と、が異なるように構成されており、前記送電部は、板状をなすシート部を有し、前記シート部は、前記電力を伝送するための第２のコイルが設けられており、前記第２のコイル内に、注射針を注入可能な孔を有し、前記孔の直径Ｆは、Ｆ＜（Ａ−２Ｄ）により定義される大きさである。
Ａ：前記軟質部の直径
Ｄ：前記発光部が発光され得る前記軟質部の中心と前記第２のコイルの中心との距離 
【手続補正５】
【補正対象書類名】明細書
【補正対象項目名】００１５
【補正方法】変更
【補正の内容】
【００１５】
また、本開示に係る送電シートは、体内に埋め込まれて用いられ、外部から非接触によって伝送された電力を受電する受電部と、注射針が挿通される軟質部と、を有する医療器具の所定箇所を検出する体外ユニットに対して着脱自在な送電シートであって、前記医療器具は、前記送電部の移動に伴って、前記送電部と前記受電部との相対的な位置関係が所定の状態に達した場合に、前記受電部で受電した電力を用いて光を発することにより該所定の状態になったことを報知する複数の発光部で構成される報知部を有し、前記複数の発光部は、前記軟質部の外縁に沿うように配置され、前記報知部は、前記軟質部の内径より小さい第１の半径を有する円内において最も明るい場所における第１の光強度と、前記第１の半径より大きい第２の半径を有する円外において最も明るい場所における第２の光強度と、が異なるように構成されており、前記送電シートは、板状をなすシート部を有し、前記シート部は、前記電力を伝送するための第２のコイルが設けられており、前記第２のコイル内に、注射針を注入可能な孔を有し、前記孔の直径Ｆは、Ｆ＜（Ａ−２Ｄ）により定義される大きさである。
Ａ：前記軟質部の直径
Ｄ：前記発光部が発光され得る前記軟質部の中心と前記第２のコイルの中心との距離 
【手続補正６】
【補正対象書類名】明細書
【補正対象項目名】００１６
【補正方法】変更
【補正の内容】
【００１６】
また、本開示に係る医療器具は、体内に埋め込まれて用いられる医療器具であって、体外ユニットの送電部から非接触によって伝送された電力を受電する第１のコイルを有する受電部と、前記送電部の移動に伴って、前記送電部と前記受電部との相対的な位置関係が所定の状態に達した場合に、前記受電部で受電した電力を用いて光を発することにより該所定の状態になったことを報知する複数の発光部で構成される報知部と、注射針が挿通される軟質部と、を有し、前記複数の発光部は、前記軟質部の外縁に沿うように配置され、前記報知部は、前記軟質部の内径より小さい第１の半径を有する円内において最も明るい場所における第１の光強度と、前記第１の半径より大きい第２の半径を有する円外において最も明るい場所における第２の光強度と、が異なるように構成されている。